【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
ＲＦＩＤトランスポンダ用中継装置であって、
ＲＦＩＤ信号を受信するように構成された第１のアンテナと；
前記第１のアンテナからＲＦＩＤ信号を受信するように構成された第２のアンテナと；
前記第１のアンテナと前記第２のアンテナとを結合する伝送線路と；
前記伝送線路に結合され、前記ＲＦＩＤトランスポンダを結合するためのインピーダンス調整回路と
を備える中継装置。
【請求項２】
前記ＲＦＩＤ装置はコンテナに取り付けられている、請求項１のＲＦＩＤトランスポンダ用中継装置。
【請求項３】
前記コンテナは折り曲げられたファイバーボードパーツからなる、請求項２のＲＦＩＤトランスポンダ用中継装置。
【請求項４】
前記コンテナはパレットである、請求項２のＲＦＩＤトランスポンダ用中継装置。
【請求項５】
前記第１のアンテナは前記コンテナの第１の位置に設けられており、前記第２のアンテナは前記コンテナの前記第１の位置とは異なる第２の位置に設けられている、請求項２のＲＦＩＤトランスポンダ用中継装置。
【請求項６】
前記伝送線路に接続された第３のアンテナを更に備える、請求項１のＲＦＩＤトランスポンダ用中継装置。
【請求項７】
第３のアンテナと第４のアンテナとを接続する第２の伝送線路を更に備えている、請求項１のＲＦＩＤトランスポンダ用中継装置。
【請求項８】
前記第１のアンテナ及び前記第２のアンテナの少なくとも一方はダイポールアンテナである、請求項１のＲＦＩＤトランスポンダ用中継装置。
【請求項９】
前記第１のアンテナ及び前記第２のアンテナの少なくとも一方はループアンテナである、請求項１のＲＦＩＤトランスポンダ用中継装置。
【請求項１０】
前記第１のアンテナ及び前記第２のアンテナの少なくとも一方はスパイラルアンテナである、請求項１のＲＦＩＤトランスポンダ用中継装置。
【請求項１１】
前記伝送線路は、前記第１のアンテナと前記第２のアンテナの少なくとも一方をも構成するコモン共振構造体である、請求項１のＲＦＩＤトランスポンダ用中継装置。
【請求項１２】
前記コンテナは：
第１の面部と；
第２の面部と；
前記第１の面部及び前記第２の面部を相互に接続するリブと；
を備える、請求項２のＲＦＩＤトランスポンダ用中継装置。
【請求項１３】
前記伝送線路は前記第１の面部と第２の面部との間に設けられている、請求項１２のＲＦＩＤトランスポンダ用中継装置。
【請求項１４】
前記第１のアンテナ、前記第２のアンテナ、及び前記伝送線路は、少なくとも部分的にツイストペア線で構成されている、請求項１のＲＦＩＤトランスポンダ用中継装置。
【請求項１５】
前記伝送線路の長さは調整可能である、請求項１のＲＦＩＤトランスポンダ用中継装置。
【請求項１６】
前記インピーダンス調整回路と前記伝送線路を結合するチューニング回路を更に備えている、請求項１のＲＦＩＤトランスポンダ用中継装置。
【請求項１７】
前記チューニング回路はツイストペア線である、請求項１６のＲＦＩＤトランスポンダ用中継装置。
【請求項１８】
前記インピーダンス調整回路と前記伝送線路とを結合するための締付コネクタを更に備えている、請求項１のＲＦＩＤトランスポンダ用中継装置。
【請求項１９】
ＲＦＩＤトランスポンダ用中継装置であって、
第１のアンテナと；
第２のアンテナと；
前記第１のアンテナと前記第２のアンテナとを結合する伝送線路と；
前記伝送線路に結合され、前記ＲＦＩＤトランスポンダを結合するためのインピーダンス調整回路とを備え、
前記インピーダンス調整回路は、前記伝送線路に対して第１の入力信号電力用として第１のインピーダンスを提供し、前記伝送線路に対して第２の入力信号電力用として第２のインピーダンスを提供するようにして構成されている、中継装置。
【請求項２０】
前記第１のインピーダンスは、前記第２のインピーダンスよりも大きく、且つ、前記第１の入力信号電力は前記第２の入力信号電力よりも大きい、請求項１９のＲＦＩＤタグを有するＲＦＩＤコンテナ。
【請求項２１】
ＲＦＩＤトランスポンダを有するＲＦＩＤオブジェクトであって：
前記ＲＦＩＤオブジェクトの第１の位置に設けられ、ＲＦＩＤ信号を受信するように構成された第１のアンテナと；
前記第１の位置とは異なる前記ＲＦＩＤオブジェクトの第２の位置に設けられ、前記第１アンテナからＲＦＩＤ信号を受信するように構成された第２のアンテナと；
前記第１のアンテナと前記第２のアンテナとを結合する伝送線路と；
前記ＲＦＩＤトランスポンダと前記伝送線路とを結合するインピーダンス調整回路と
を備えるＲＦＩＤオブジェクト。
【請求項２２】
前記オブジェクトは折り曲げられたファイバーボードパーツからなる、請求項２１のＲＦＩＤトランスポンダを有するＲＦＩＤオブジェクト。
【請求項２３】
前記オブジェクトはパレットである、請求項２１のＲＦＩＤトランスポンダを有するＲＦＩＤオブジェクト。
【請求項２４】
前記第１の位置及び前記第２の位置とは異なる第３の位置に設けられた第３のアンテナを更に備えている、請求項２１のＲＦＩＤトランスポンダを有するＲＦＩＤオブジェクト。
【請求項２５】
前記第３のアンテナは前記伝送線路に結合されている、請求項２４のＲＦＩＤトランスポンダを有するＲＦＩＤオブジェクト。
【請求項２６】
前記第１の位置、前記第２の位置、及び前記第３の位置とは異なる第４の位置に設けられた第４のアンテナを更に備える、請求項２４のＲＦＩＤトランスポンダを有するＲＦＩＤオブジェクト。
【請求項２７】
第３のアンテナと第４のアンテナとを結合する第２の伝送線路を更に備えている、請求項２６のＲＦＩＤトランスポンダを有するＲＦＩＤオブジェクト。
【請求項２８】
前記第１のアンテナ及び前記第２のアンテナの少なくとも一方はダイポールアンテナである、請求項２１のＲＦＩＤトランスポンダを有するＲＦＩＤオブジェクト。
【請求項２９】
前記第１のアンテナ及び前記第２のアンテナの少なくとも一方はループアンテナである、請求項２１のＲＦＩＤトランスポンダを有するＲＦＩＤオブジェクト。
【請求項３０】
前記第１のアンテナ及び前記第２のアンテナの少なくとも一方はスパイラルアンテナである、請求項２１のＲＦＩＤトランスポンダを有するＲＦＩＤオブジェクト。
【請求項３１】
前記伝送線路は、前記第１のアンテナと前記第２のアンテナの少なくとも一方をも構成するコモン共振構造体である、請求項２１のＲＦＩＤトランスポンダを有するＲＦＩＤオブジェクト。
【請求項３２】
前記コンテナは：
第１の面部と；
第２の面部と；
前記第１の面部及び前記第２の面部を相互に接続するリブと；
を備える、請求項２１のＲＦＩＤトランスポンダを有するＲＦＩＤオブジェクト。
【請求項３３】
前記伝送線路は前記第１の面部と第２の面部との間に設けられている、請求項２１のＲＦＩＤトランスポンダを有するＲＦＩＤオブジェクト。
【請求項３４】
前記第１のアンテナ、前記第２のアンテナ、及び前記伝送線路は、少なくとも部分的にツイストペア線で構成されている、請求項２１のＲＦＩＤトランスポンダを有するＲＦＩＤオブジェクト。
【請求項３５】
前記伝送線路の長さは調整可能である、請求項２１のＲＦＩＤトランスポンダを有するＲＦＩＤオブジェクト。
【請求項３６】
前記インピーダンス調整回路と前記伝送線路を結合するチューニング回路を更に備えている、請求項２１のＲＦＩＤトランスポンダを有するＲＦＩＤオブジェクト。
【請求項３７】
前記チューニング回路はツイストペア線である、請求項３６のＲＦＩＤトランスポンダを有するＲＦＩＤオブジェクト。
【請求項３８】
前記インピーダンス調整回路と前記伝送線路とを結合するための締付コネクタを更に備えている、請求項２１のＲＦＩＤトランスポンダを有するＲＦＩＤオブジェクト。
【請求項３９】
ＲＦＩＤトランスポンダを有するＲＦＩＤオブジェクトであって、
前記ＲＦＩＤオブジェクトの第１位置にある第１のアンテナと；
前記ＲＦＩＤオブジェクトの第１位置とは異なる第２位置にある第２のアンテナと；
前記第１のアンテナと前記第２のアンテナとを結合する伝送線路と；
前記伝送線路と前記ＲＦＩＤトランスポンダを結合するためのインピーダンス調整回路とを備え、
前記インピーダンス調整回路は、前記伝送線路に対して第１の入力信号電力用として第１のインピーダンスを提供し、前記伝送線路に対して第２の入力信号電力用として第２のインピーダンスを提供するようにして構成されている、ＲＦＩＤオブジェクト。
【請求項４０】
前記第１のインピーダンスは、前記第２のインピーダンスよりも大きく、且つ、前記第１の入力信号電力は前記第２の入力信号電力よりも大きい、請求項３９のＲＦＩＤトランスポンダを有するＲＦＩＤオブジェクト。
【請求項４１】
ＲＦＩＤ信号を中継する方法であって：
第１のアンテナで前記ＲＦＩＤ信号を受信するステップと；
該ＲＦＩＤ信号を前記第１のアンテナから第２のアンテナに伝送するステップと；
前記ＲＦＩＤ信号が第１の電力を有している場合には、前記ＲＦＩＤ信号を前記第１のアンテナから前記第２のアンテナに伝送している間、第１のインピーダンスを呈するステップと；
前記ＲＦＩＤ信号が前記第１の電力とは異なる第２の電力を有している場合には、前記ＲＦＩＤ信号を前記第１のアンテナから前記第２のアンテナに伝送している間、第２のインピーダンスを呈するステップと；
を備える方法。
【請求項４２】
前記第１のインピーダンスは前記第２のインピーダンスよりも大きい、請求項４１のＲＦＩＤ信号を中継する方法。
【請求項４３】
前記第１の電力は前記第２の電力よりも大きい、請求項４１のＲＦＩＤ信号を中継する方法。
【請求項４４】
前記ＲＦＩＤ信号はＲＦＩＤ質問信号である、請求項４１のＲＦＩＤ信号を中継する方法。
【請求項４５】
ＲＦＩＤトランスポンダを有するＲＦＩＤコンテナであって：
該ＲＦＩＤの中身を少なくとも部分的に囲むようにして構成された複数のコンテナ側部と；
前記複数のコンテナ側部のうちの第１のコンテナ側部に関連付けられた第１のアンテナと；
前記複数のコンテナ側部のうちの第２のコンテナ側部に関連付けられた第２のアンテナと；
前記第１のアンテナと前記第２のアンテナとを結合する伝送線路と；
前記ＲＦＩＤトランスポンダと前記伝送線路とを結合するマッチング回路とを備えており、前記マッチング回路と前記ＲＦＩＤトランスポンダとは、高い信号電力レベル用として、前記伝送線路に対して、より高い第１のインピーダンスを提供し、低い信号電力レベル用として、前記伝送線路に対して、より低い第２のインピーダンスを提供するようにして構成されている、ＲＦＩＤトランスポンダを有するＲＦＩＤコンテナ。